(57)【要約】【課題】リールの回転開始時及び停止時におけるリール、モータ、及びブラケットの振動を防止できる遊技機を提供すること。【解決手段】遊技機のリールユニット（７３）は、複数種類の図柄が描かれたリール（３Ｌ）と、このリール（３Ｌ）を回転駆動するリール駆動部７４Ｌと、筐体（４）に設けられリール（３Ｌ）及びリール駆動部（７４Ｌ）を収容するリールボックス（７６）と、を備える。リール駆動部（７４Ｌ）は、リールモータブラケット（７４１）を備え、リールボックス（７６）は、リールブラケット（７６２Ｌ）を備える。リールボックス（７６）のリールブラケット（７６２Ｌ）とリールモータブラケット（７４１）との間には、弾性を有するスプリング（７８２）が介装される。リールブラケット（７６２Ｌ）とリールモータブラケット（７４１）とは、スプリング（７８２）を貫通するねじ（７８）により結合される。【選択図】図５
2008048882.tif 000002
【特許請求の範囲】
【請求項１】
遊技に必要な複数種類の図柄を変動表示する変動表示手段と、
遊技者が操作可能な操作手段と、
遊技者による前記操作手段の操作に応じて前記変動表示手段の変動表示を停止させる停止制御手段と、
これら手段を収容する筐体と、を備える遊技機であって、
前記変動表示手段は、前記複数種類の図柄が描かれた複数のリールと、これらリールをそれぞれ回転駆動する複数のリール駆動部と、前記筐体に設けられ前記リール及び前記リール駆動部を収容するリール収容部と、を備え、
前記リール駆動部は、前記リール収容部に支持された基部と、この基部に設けられ前記リールを回転可能に保持するリール保持部と、前記基部に設けられ前記リールを回転駆動するリールモータと、を含んで構成され、
前記リール収容部と前記基部との間には、弾性を有する弾性部材が介装され、
前記リール収容部と前記基部とは、結合部材により結合され、
当該結合部材は、前記リール収容部と前記基部との間で前記弾性部材を貫通することを特徴とする遊技機。
【請求項２】
前記基部は、平板状であり、
前記弾性部材は、前記基部の外縁部のうち、前記リールモータを挟んで互いに対向する位置に設けられることを特徴とする請求項１に記載の遊技機。
【発明の詳細な説明】
【技術分野】
【０００１】
本発明は、遊技機に関する。
【背景技術】
【０００２】
例えば、停止ボタンを備えたスロットマシン、いわゆるパチスロ機は、正面の表示窓内に複数の図柄を表示する機械的回転リールを複数配列して構成した変動表示装置、或いはリール上の図柄を画面に表示する電気的変動表示装置を有する。遊技者のスタート操作に応じて、制御手段が変動表示装置を駆動して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にコイン、メダル等の遊技媒体を払出すことで遊技者に利益を付与するものである。
【０００３】
現在主流の機種は、複数種類の入賞態様を有するものである。特に、所定の役の入賞が成立したときは、１回のコインの払出しに終わらず、所定期間、通常の状態よりも条件の良い遊技状態となる。このような役として、遊技者に相対的に大きい利益を与えるゲームが所定回数行える役（「ビッグボーナス」と称し、以下「ＢＢ」と略記する）と、遊技者に相対的に小さい利益を与える遊技を所定ゲーム数行える役（「レギュラーボーナス」と称し、以下「ＲＢ」と略記する）がある。
【０００４】
また、現在主流の機種においては、有効化された成立ライン（以下「有効ライン」という）に沿って所定の図柄の組合せが並び、コイン、メダル等が払出される入賞が成立するには、内部的な抽籤処理（以下「内部抽籤」という）により役に当籤（以下「内部当籤」という）し、かつその内部当籤した役（以下「内部当籤役」という）の入賞成立を示す図柄の組合せを有効ラインに停止できるタイミングで遊技者が停止操作を行うことが要求される。つまり、いくら内部当籤したとしても、遊技者の停止操作のタイミングが悪いと入賞を成立させることができない。すなわち、停止操作のタイミングに熟練した技術が要求される（「目押し」といわれる技術介入性の比重が高い）遊技機が現在の主流である。
【０００５】
ところで、上述のリールを回転駆動させる駆動方式は、モータでリールを直に回転駆動させる直接方式と、ギアを介してリールを回転駆動させる間接方式と、に分けられる。
より具体的には、直接方式では、リールの駆動軸は、リールの中心穴に直接圧入される（特許文献１参照）。この直接方式でリールを回転させる遊技機によれば、リールを回転させるために必要な部品の数を少なくできるため、組立てを容易にできる。
間接方式では、リールに、その回転軸を中心としたリール側ギアを取り付け、モータの駆動軸に、この駆動軸を中心としたモータ側ギアを取り付けて、さらに、これらギアを噛み合せることによりモータの回転トルクをリールに伝達させる。この間接方式でリールを回転させる遊技機によれば、直接方式で用いられるモータと比較して、安価なモータを使用できるため製造原価を低減できる。
【特許文献１】特開平１０−７１２４０号公報
【発明の開示】
【発明が解決しようとする課題】
【０００６】
ここで、上述した直接駆動及び間接駆動のいずれの駆動方式であっても、モータ及びリールは、筐体に対して固定された平板状のブラケットによって支持される。また、モータを回転駆動してリールを回転させたり停止させたりした場合、その回転開始時及び停止時には、このモータによって回転されるリールの形状や重量に応じた大きさの慣性力がモータ自体に加わる。
【０００７】
このため、リールの回転を開始させたり停止させたりした場合には、モータに作用した力により、モータ及びリールが、これらを支持するブラケットとともに振動する場合があった。
【０００８】
本発明の目的は、リールの回転開始時及び停止時におけるリール、モータ、及びブラケットの振動を防止できる遊技機を提供することである。
【課題を解決するための手段】
【０００９】
本発明では、以下のようなものを提供する。
【００１０】
（１）  遊技に必要な複数種類の図柄を変動表示する変動表示手段（例えば、後述のリールユニット７３）と、遊技者が操作可能な操作手段（例えば、後述の停止ボタン７Ｌ，７Ｃ，７Ｒ）と、遊技者による前記操作手段の操作に応じて前記変動表示手段の変動表示を停止させる停止制御手段（例えば、後述の主制御ユニット７１）と、これら手段を収容する筐体（例えば、後述の筐体４）と、を備える遊技機であって、前記変動表示手段は、前記複数種類の図柄が描かれた複数のリール（例えば、後述のリール３Ｌ，３Ｃ，３Ｒ）と、これらリールをそれぞれ回転駆動する複数のリール駆動部（例えば、後述のリール駆動部７４Ｌ，７４Ｃ，７４Ｒ）と、前記筐体に設けられ前記リール及び前記リール駆動部を収容するリール収容部（例えば、後述のリールボックス７６）と、を備え、前記リール駆動部は、前記リール収容部に支持された基部（例えば、後述のリールモータブラケット７４１）と、この基部に設けられ前記リールを回転可能に保持するリール保持部（例えば、後述のリールシャフト７４２）と、前記基部に設けられ前記リールを回転駆動するリールモータ（例えば、後述のステッピングモータ４９Ｌ，４９Ｃ，４９Ｒ）と、を含んで構成され、前記リール収容部と前記基部との間には、弾性を有する弾性部材（例えば、後述のスプリング７８２）が介装され、前記リール収容部と前記基部とは、結合部材（例えば、後述のねじ７８）により結合され、当該結合部材は、前記リール収容部と前記基部との間で前記弾性部材を貫通することを特徴とする遊技機。
【００１１】
（１）記載の遊技機によれば、変動表示手段を、複数のリールと、これらリールをそれぞれ回転駆動する複数のリール駆動部と、筐体に設けられ、これらリール及びリール駆動部を収容するリール収容部と、を含んで構成した。さらに、このリール駆動部を、リール収容部に支持される基部と、この基部に設けられリールを回転可能に保持するリール保持部と、基部に設けられリールを回転駆動するリールモータと、を含んで構成した。
変動表示手段をこのような構成にすることにより、リールやリールモータ等の交換を容易にすることができるが、リールの回転開始時及び停止時には、リールの形状や重量に応じた大きさの慣性力がリール駆動部に加わることとなる。
【００１２】
ここで、弾性を有する弾性部材を、筐体に設けられたリール収容部と、リールを回転駆動するリールモータが設けられた基部との間に介装させた。
これにより、リールの回転開始時及び停止時に生じるリール駆動部の振動を弾性部材で減衰させることができる。すなわち、リールの回転開始時及び停止時における、リール駆動部や、このリール駆動部によって回転駆動されるリール等の振動を防止できる。
また、リール収容部と基部との間において、結合部材で弾性部材を貫通したので、弾性部材を確実に保持して、弾性部材が落下するのを防止できる。
【００１３】
（２）  前記基部は、平板状であり、前記弾性部材は、前記基部の外縁部のうち、前記リールモータを挟んで互いに対向する位置に設けられることを特徴とする（１）に記載の遊技機。
【００１４】
（２）記載の遊技機によれば、リール駆動部の基部を、平板状にするとともに、弾性部材を、この基部のうちリールモータを挟んで互いに対向する位置に設けた。
これにより、リールの回転開始時及び停止時において基部に発生する、リールモータの回転軸を中心とした振動を減衰させることができる。また、上述の位置に弾性部材を設けることにより、少ない弾性部材の数で、効率的に振動を減衰させることができる。
【発明の効果】
【００１５】
本発明の遊技機によれば、弾性を有する弾性部材を、筐体に対して固定されたリール収容部と、リールを回転駆動するリールモータが設けられた基部との間に介装させた。これにより、リールの回転開始時及び停止時に生じるリール駆動部の振動を弾性部材で減衰させることができる。すなわち、リールの回転開始時及び停止時における、リール駆動部や、このリール駆動部によって回転駆動されるリール等の振動を防止できる。また、リール収容部と基部との間において、結合部材で弾性部材を貫通したので、弾性部材を確実に保持して、弾性部材が落下するのを防止できる。
【発明を実施するための最良の形態】
【００１６】
以下、実施例の遊技機について説明する。
【実施例１】
【００１７】
図１は、本発明の一実施例の遊技機１の外観を示す斜視図である。遊技機１は、いわゆる「パチスロ機」である。この遊技機１は、コイン、メダル、遊技球またはトークン等の他、遊技者に付与された、もしくは付与される遊技価値の情報を記憶したカード等の遊技媒体を用いて遊技する遊技機であるが、以下ではメダルを用いるものとして説明する。
【００１８】
遊技機１の全体を形成している筐体４は、箱状のキャビネット６０と、このキャビネット６０を開閉する前面ドア２と、を備える。この前面ドア２正面の略中央には、縦長矩形の表示窓４Ｌ，４Ｃ，４Ｒが設けられる。
表示窓４Ｌ，４Ｃ，４Ｒには、表示ラインとして、水平方向にトップライン８ｂ、センターライン８ｃ及びボトムライン８ｄ、斜め方向にクロスアップライン８ａ及びクロスダウンライン８ｅが設けられている。
【００１９】
これらの表示ラインは、後述の１−ＢＥＴスイッチ１１、２−ＢＥＴスイッチ１２、最大ＢＥＴスイッチ１３を操作すること（以下「ＢＥＴ操作」という）、或いはメダル投入口２２にメダルを投入することにより、それぞれ１本、３本、５本が有効化される。どの表示ラインが有効化されたかは、後で説明するＢＥＴランプ９ａ，９ｂ，９ｃの点灯で表示される。
【００２０】
ここで、表示ライン８ａ〜８ｅは、役の成否に関わる。具体的には、所定の役に対応する図柄組合せを構成する図柄がいずれかの有効ライン（有効化された表示ライン）に対応する所定の位置に並んで停止表示されることにより、所定の役が成立することとなる。
【００２１】
前面ドア２の裏面には、複数のリール３Ｌ，３Ｃ，３Ｒと、これらリール３Ｌ，３Ｃ，３Ｒを回転駆動するステッピングモータ４９Ｌ，４９Ｃ，４９Ｒと、を収容する後述のリールユニット７３がミドルドア４０を介して設けられている（図２参照）。
【００２２】
各リール３Ｌ，３Ｃ，３Ｒには、それぞれの外周面に、遊技に必要な複数種類の図柄によって構成される識別情報としての図柄列が描かれており、各々はリールユニット７３に回転自在に横一列に設けられている。各リール３Ｌ，３Ｃ，３Ｒの図柄は表示窓４Ｌ，４Ｃ，４Ｒを通して、遊技機１の外部から視認できるようになっている。また、各リール３Ｌ，３Ｃ，３Ｒは、定速回転（例えば８０回転／分）で回転し、図柄列を変動表示する。
【００２３】
表示窓４Ｌ，４Ｃ，４Ｒの上方には、液晶表示部５ａ、情報表示部１８、及びスピーカ９Ｌ，９Ｒが設けられる。液晶表示部５ａは、表示窓４Ｌ，４Ｃ，４Ｒよりも大きな表示面を備え、画像表示による演出を行う。情報表示部１８は、７セグメントＬＥＤから成り、貯留（クレジット）されているメダルの枚数、メダルの払出枚数等を表示する。また、スピーカ９Ｌ，９Ｒは、効果音や音声等の音による演出を行う。
【００２４】
表示窓４Ｌ，４Ｃ，４Ｒの左側には、１−ＢＥＴランプ９ａ、２−ＢＥＴランプ９ｂ、最大ＢＥＴランプ９ｃが設けられる。１−ＢＥＴランプ９ａ、２−ＢＥＴランプ９ｂ及び最大ＢＥＴランプ９ｃは、一のゲームを行うために賭けられたメダルの数（以下「ＢＥＴ数」という）に応じて点灯する。
【００２５】
１−ＢＥＴランプ９ａは、ＢＥＴ数が“１”で１本の表示ラインが有効化されたとき（１本の有効ラインが設定されたとき）に点灯する。２−ＢＥＴランプ９ｂは、ＢＥＴ数が“２”で３本の表示ラインが有効化されたとき（３本の有効ラインが設定されたとき）に点灯する。最大ＢＥＴランプ９ｃは、ＢＥＴ数が“３”で全て（５本）の表示ラインが有効化されたとき（全て（５本）の有効ラインが設定されたとき）に点灯する。
【００２６】
表示窓４Ｌ，４Ｃ，４Ｒの下方には、略水平面の台座部１０が形成されている。この台座部１０の水平面内のうち、右側にはメダル投入口２２が設けられ、左側には１−ＢＥＴスイッチ１１、２−ＢＥＴスイッチ１２、及び最大ＢＥＴスイッチ１３が設けられる。
【００２７】
１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。これらのＢＥＴスイッチ１１，１２，１３を操作することで、前述のとおり、所定の表示ラインが有効化される。
【００２８】
台座部１０の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からメダルが払出され、払出されたメダルはメダル受け部１６に溜められる。Ｃ／Ｐスイッチ１４の右側には、遊技者の操作により上記リールを回転させ、表示窓４Ｃ内での図柄の変動表示を開始するためのスタートレバー６が所定の角度範囲で回動自在に取り付けられている。
【００２９】
台座部１０の前面部の略中央には、遊技者が操作可能な操作手段としての停止ボタン７Ｌ，７Ｃ，７Ｒが設けられている。これら３個の停止ボタン７Ｌ，７Ｃ，７Ｒは、３個のリール３Ｌ，３Ｃ，３Ｒの回転をそれぞれ停止させるために、遊技者が操作するボタンである。なお、実施例では、一のゲーム（単位遊技）は、基本的にスタートレバー６が操作されることにより開始し、全てのリール３Ｌ，３Ｃ，３Ｒが停止したときに終了する。
【００３０】
実施例では、全てのリールが回転しているときに行われるリールの停止操作（停止ボタンの操作）を「第１停止操作」、「第１停止操作」の後に行われる停止操作を「第２停止操作」、「第２停止操作」の後に行われる停止操作を「第３停止操作」という。
【００３１】
前面ドア２下部の正面には、メダルが払出されるメダル払出口１５と、この払出されたメダルを貯留するメダル受け部１６とが設けられている。また、前面ドア２下部の正面のうち、停止ボタン７Ｌ，７Ｃ，７Ｒとメダル受け部１６とに上下を挟まれた面には、機種のモチーフに対応したデザインがあしらわれた腰部パネル２０が取り付けられている。
【００３２】
図２及び図３を参照して、前面ドア２の裏面の構成について説明する。
図２は、前面ドア２の裏面の構成を示す斜視図である。
図３は、前面ドア２の裏面の構成を示す部分斜視図である。
【００３３】
図２に示すように、前面ドア２は、この前面ドア２の本体を形成する前面ドア本体２ｂと、この前面ドア本体２ｂの裏面に開放可能に設けられたミドルドア４０と、前面ドア本体２ｂに取り付けられたサブベース４２と、を備える。
【００３４】
ミドルドア４０には、主制御ユニット７１及び変動表示手段としてのリールユニット７３が設けられる。
前面ドア本体２ｂの裏面には、サブベース４２を介して支持される副制御ユニット７２の他、ミドルドア４０を開放可能に支持する支持部４３が設けられている。
【００３５】
支持部４３は、図３に示すように、前面ドア本体２ｂ裏面の図３中右方に取り付けられる。この支持部４３には、ミドルドア４０に設けられる後述の回動軸４０６ｃ，４０６ｄがそれぞれ嵌合する図３中上下方向に延びる円筒状の軸受部４３１ａ，４３１ｂが形成されている。
なお、支持部４３がミドルドア４０を開放可能に支持する機構については、後に詳述する。
【００３６】
図２に示すように、サブベース４２は、板状の部材であり、前面ドア２に設けられた液晶表示部５ａの背面を覆うようにして、前面ドア本体２ｂの裏面に複数のねじ４２１で取り付けられる。サブベース４２は、前面ドア本体２ｂの裏面に対し略平行に取り付けられる。また、サブベース４２の表面のうち、液晶表示部５ａを覆う領域は、略平らに形成されている。
【００３７】
副制御ユニット７２は、図３に示すように、液晶表示部５ａを制御する副制御回路７２１と、この副制御回路７２１を収容しサブベース４２の略平らに形成された領域に取り付けられる副制御回路収容ケース７２２と、液晶表示部５ａの画像表示に必要な画像情報が記憶されたＲＯＭカートリッジ７２３と、このＲＯＭカートリッジ７２３を覆うＲＯＭカバー７２４と、副制御回路７２１と他の装置とを接続するＩ／Ｏ基板７２５と、を備える。
【００３８】
副制御回路７２１は、後述の主制御回路７１１から送信される信号に基づいて液晶表示部５ａを制御する電子回路である。
【００３９】
ＲＯＭカートリッジ７２３は、副制御回路７２１に接続されるプログラムＲＯＭ及び画像ＲＯＭを備え、これらＲＯＭを副制御回路７２１に着脱自在に取り付けられるように、略立方体状のカートリッジに形成したものである。
【００４０】
副制御回路収容ケース７２２は、略立方体状の箱であり、この副制御回路収容ケース７２２の内部には、副制御回路７２１が収められる。この副制御回路収容ケース７２２表面には、矩形状の開口が形成されており、ＲＯＭカートリッジ７２３は、この開口７２２Ａを通して副制御回路収容ケース７２２の内部に挿入され、副制御回路７２１に接続される。
【００４１】
Ｉ／Ｏ基板７２５は、副制御回路７２１と他の装置とを電気的に接続する複数のコネクタを備える基板であり、サブベース４２の略平らに形成された領域のうち、図３中右方の領域に配置される。
副制御回路７２１は、主制御回路７１１、液晶表示部５ａ、操作部１７、ＬＥＤ類１０１、ランプ類１０２、スピーカ９Ｌ，９Ｒ、及び音量調節部１０３等の複数の装置と接続される（図６参照）。これらの接続を、Ｉ／Ｏ基板７２５のコネクタを介して接続することにより、複雑な配線を集約できる。
【００４２】
ミドルドア４０は、略矩形状の部材であり、図３中上部と下部とに分けられる。ミドルドア４０上部は、主制御ユニット７１を支持する主制御ユニットベース４０１であり、ミドルドア４０下部は、リールユニット７３を支持するリールユニットベース４０２である。
【００４３】
主制御ユニットベース４０１は、略板状であり、主制御ユニット７１を水平に支持する主制御ユニット支持部４０８と、主制御ユニット支持部４０８の上端に形成されてＲＯＭカバー７２４を覆うプレート４０４と、を備える。
【００４４】
プレート４０４は、板状の部材であり、主制御ユニットベース４０１の上端から、略鉛直方向に延出する。また、このプレート４０４の水平方向の幅は、ＲＯＭカバー７２４の幅よりも広く形成されている。これにより、ミドルドア４０が閉じた状態では、プレート４０４はＲＯＭカバー７２４を覆う。
【００４５】
また、主制御ユニット支持部４０８のうち、略中央には、主制御ユニット７１が取り付けられる取付領域が形成されている他、図３中左右両側には、それぞれ、後述のストッパー５３が挿入されるストッパー挿通孔８１ａ，８１ｂが形成されている。
【００４６】
リールユニットベース４０２は、リールユニット７３を支持するリールユニット支持部４０９と、このリールユニット支持部４０９の図３中左側の端縁に設けられたミドルドア把持部４０７と、リールユニット支持部４０９のミドルドア把持部４０７の反対側の端縁（図３中右側の端縁）に設けられた回動軸部４０６と、を備える。
【００４７】
リールユニット支持部４０９には、前面ドア２に設けられた表示窓４Ｌ，４Ｃ，４Ｒの外縁と略同形のつば４０５が設けられ、これにより略矩形状の開口が形成されている。リールユニット７３は、このつば４０５を介してミドルドア４０に取り付けられる。
【００４８】
回動軸部４０６は、リールユニット支持部４０９から図３中右側方に延びる回動軸腕部４０６ａ，４０６ｂと、これら回動軸腕部４０６ａ，４０６ｂの先端から下方に向かって形成され、上述の軸受部４３１ａ，４３１ｂと嵌合する円柱状の軸４０６ｃ，４０６ｄと、を備える。
この回動軸４０６ｃ，４０６ｄを、それぞれ、軸受部４３１ａ，４３１ｂに上方から挿入して嵌合することにより、ミドルドア４０は、開放可能かつ着脱自在に前面ドア本体２ｂの支持部４３に支持される。このような回動軸４０６ｃ，４０６ｄを設けることにより、作業者は、ミドルドア４０を開放した状態で作業できる。すなわち、作業者は、ミドルドア４０自体に設けられた部材の交換や、ミドルドア４０が閉じた状態では覆われている部材等の交換を、ミドルドア４０が開いた状態で行うことができる。
【００４９】
ミドルドア把持部４０７は、リールユニット支持部４０９から図３中左側方に延びる把持腕部４０７ａ，４０７ｂと、この把持腕部４０７ａ，４０７ｂの先端同士を連結し凹凸が形成された円柱状の把持部本体４０７ｃと、を備える。
【００５０】
また、リールユニット支持部４０９の図３中下端には、上述のストッパー挿通孔８１ａ，８１ｂと略同形のストッパー挿通孔８１ｃが形成されている。
【００５１】
ストッパー５３は、棒状の部材であり、その先端側には側方に突出した爪５３１が形成され、基端側には作業者が保持するためのつまみ５３２が形成されている。
また、上述した前面ドア本体２ｂのうち、ミドルドア４０が閉じた状態でこれらストッパー挿通孔８１ａ，８１ｂ，８１ｃと一致する位置には、ストッパー５３の爪５３１が挿入される挿入部が形成されて、ストッパー５３の爪５３１が係止される（図示せず）。
【００５２】
ストッパー５３により、ミドルドア４０を前面ドア本体２ｂに固定する手順は次のようになる。
まず、ミドルドア４０を閉じて、ミドルドア４０のストッパー挿通孔８１ａ，８１ｂ，８１ｃと前面ドア本体２ｂの挿入部とをそれぞれ一致させて、ストッパー５３をストッパー挿通孔８１ａ，８１ｂ，８１ｃに挿通するとともに前面ドア本体２ｂの挿入部に挿入する。
【００５３】
次いで、ストッパー５３を、挿通した方向に対し略９０度回動させる。すると、ストッパー５３の爪５３１は、前面ドア本体２ｂの挿入穴に係止される。このようにして、ストッパー５３により、ミドルドア４０は、このドアが閉じた状態で前面ドア本体２ｂの裏面に固定される。
したがって、ミドルドア４０を前面ドア本体２ｂの裏面に固定できるとともに、このミドルドア４０が脱落するのを防止できる。
【００５４】
主制御ユニット７１は、副制御ユニット７２やリールユニット７３等を制御する主制御回路７１１と、この主制御回路７１１とリールユニット７３や電源ユニット等とを電気的に接続する主制御コネクタ７１３と、主制御回路７１１を収容しミドルドア４０の主制御ユニット支持部４０８に取り付けられる主制御回路収容ケース７１２と、主制御コネクタ７１３を開閉自在に覆う主制御コネクタカバー７１４と、を備える。
【００５５】
主制御回路７１１は、遊技者による停止ボタン７Ｌ，７Ｃ，７Ｒの操作に基づいてリールユニット７３を制御する電子回路である。なお、この主制御回路７１１の回路の構成については、後に図６を参照して詳述する。
【００５６】
主制御コネクタ７１３は、主制御回路７１１から引出された図示しない配線と、上述の副制御回路７２１、及び電源ユニット等から引出された図示しない配線とを接続するコネクタである。
【００５７】
主制御回路収容ケース７１２は、略立方体状の収容容器であり、図３中右側の端部には図示しない開放部が形成されている。この主制御回路収容ケース７１２には、主制御回路７１１が収容され、上述の開放部が形成された位置には、主制御コネクタ７１３が、この開放部から露出するように配置されている。また、開放部が形成された端部には、主制御コネクタカバー７１４が開閉自在に設けられている。
【００５８】
リールユニット７３は、円筒状の複数のリール３Ｌ，３Ｃ，３Ｒと、これらリール３Ｌ，３Ｃ，３Ｒをそれぞれ回転駆動する複数のリール駆動部７４Ｌ，７４Ｃ，７４Ｒと、ミドルドア４０のリールユニットベース４０２を介して筐体４に設けられるリール収容部としてのリールボックス７６と、を備える。
【００５９】
リールボックス７６は、箱状の本体７６１と、この本体７６１の内部を略３等分するリールブラケット７６２Ｌ，７６２Ｃ，７６２Ｒと、を含んで構成される。
この本体７６１の前面、すなわち前面ドア本体２ｂ側の面には、リールユニットベース４０２のつば４０５と略同形のつば７６１ａが形成されており、これにより開放面が形成される。
【００６０】
リールブラケット７６２Ｌ，７６２Ｃ，７６２Ｒは、平板状であり、リール駆動部７４Ｌ，７４Ｃ，７４Ｒ及びリール３Ｌ，３Ｃ，３Ｒが、それぞれ取り付けられている。これらリールブラケット７６２Ｌ，７６２Ｃ，７６２Ｒは、本体７６１の開放面と略垂直にして、この本体７６１内部に固定される。なお、これらリールブラケット７６２Ｌ，７６２Ｃ，７６２Ｒ及びリール駆動部７４Ｌ，７４Ｃ，７４Ｒの構成については後に図４を参照して詳述する。
【００６１】
図４は、リール３Ｌ、リール駆動部７４Ｌ、及び、リールブラケット７６２Ｌの構成を示す斜視図である。以下では、これらリール駆動部７４Ｌ、リールブラケット７６２Ｌ、及び、リール３Ｌの構成について説明するが、リール駆動部７４Ｃ，７４Ｒ、リールブラケット７６２Ｃ，７６２Ｒ、及び、リール３Ｃ，３Ｒも同様の構成であり、説明及び図示を省略する。
【００６２】
リール３Ｌは、リールドラム９１と、このリールドラム９１の中心に取り付けられたリールギア９２と、を含んで構成される。
リールドラム９１は、円筒状の回胴部９１１と、回胴部９１１の中心軸上に配置された軸受部９１２と、これら回胴部９１１及び軸受部９１２を連結する複数の腕部９１３と、を備える。
【００６３】
回胴部９１１は、その外周面に、複数種類の図柄が等間隔に描かれている。
軸受部９１２は、円筒状であり、その内部には、後述のリールシャフト７４２の先端側が挿入可能となっている。
【００６４】
リールギア９２は、円盤状であり、その外縁には、等間隔でギア溝が形成されている。このリールギア９２は、その中心が回胴部９１１の中心に一致するように、軸受部９１２に取り付けられている。これにより、リールドラム９１は、リールギア９２とともに回転可能となる。また、このリールギア９２のうち、リール駆動部７４Ｌ側の面には、遮光片９２１が取り付けられている。
【００６５】
リールブラケット７６２Ｌは、平板状であり、その略中央には、リール駆動部７４Ｌが取り付けられる略矩形状の取付部７６３が形成されている。
取付部７６３は、リール駆動部７４Ｌの後述のリールモータブラケット７４１の外形をかたどって凹状に形成されている。この取付部７６３の外周部には、２つの支持枠７６４が立設されている。具体的には、これら２つの支持枠７６４は、取付部７６３の外周部のうち、互いに対向する位置に設けられている。また、これら支持枠７６４の先端側には、それぞれ、爪７６４ａが形成されている。
【００６６】
また、このリールブラケット７６２Ｌには、主制御回路７１１とリール駆動部７４Ｌとの間に設けられる配線を中継するリール中継端子板７６６が取り付けられている。このリール中継端子板７６６には、主制御回路７１１側からの配線が接続される主基板用コネクタ７６６ａと、リール駆動部７４Ｌの後述のステッピングモータ４９Ｌ側からの配線が接続されるモータ用コネクタ７６６ｂと、リール駆動部７４Ｌの後述のフォトインタラプタ７４３側からの配線が接続されるフォトインタラプタ用コネクタ７６６ｃと、が設けられている。このようなリール中継端子板７６６を設けることにより、主制御回路７１１とリール駆動部７４Ｌとの間の配線を集約することができる。
【００６７】
リール駆動部７４Ｌは、平板状の基部としてのリールモータブラケット７４１と、このリールモータブラケット７４１に設けられたリール保持部としてのリールシャフト７４２と、リールモータブラケット７４１に設けられリール３Ｌを回転駆動するリールモータとしてのステッピングモータ４９Ｌと、を含んで構成される。
【００６８】
リールモータブラケット７４１は、リールブラケット７６２Ｌによって支持されるとともに、リールシャフト７４２及びステッピングモータ４９Ｌ等が取付可能となっている。
リールシャフト７４２は、リールモータブラケット７４１に固定される円環状の固定部７４２ａと、この固定部７４２ａから垂直に延びる棒状のシャフト７４２ｂと、を含んで構成される。このシャフト７４２ｂの先端側に、リール３Ｌの軸受部９１２を挿入することにより、リールシャフト７４２は、リール３Ｌを回転可能に保持する。
【００６９】
ステッピングモータ４９Ｌは、その駆動軸をリールシャフト７４２のシャフト７４２ｂと平行にして、リールモータブラケット７４１のうちリールシャフト７４２の図４中上方に設けられている。また、このステッピングモータ４９Ｌの駆動軸の先端側には、リールギア９２のギア溝と噛合可能なモータギア４９１が取り付けられている。
ここで、ステッピングモータ４９Ｌの駆動軸とリールシャフト７４２のシャフト７４２ｂとの間隔は、上述のリールギア９２の外径と等しくなっている。すなわち、リール３Ｌの軸受部９１２をシャフト７４２ｂに挿入した状態では、リールギア９２とモータギア４９１とは噛合する。これにより、ステッピングモータ４９Ｌを駆動することにより生じるトルクをリール３Ｌに伝達して、このリール３Ｌを回転させることができる。
【００７０】
また、このリールモータブラケット７４１には、さらに、フォトインタラプタ７４３と、リールランプケース７４４と、が設けられている。
フォトインタラプタ７４３は、リールギア９２の通過を検出するセンサであり、リールモータブラケット７４１のうち、リールシャフト７４２の図４中左方に設けられている。より具体的には、フォトインタラプタ７４３は、リールモータブラケット７４１のうち、リールギア９２の遮光片９２１の回転軌道上に設けられている。すなわち、フォトインタラプタ７４３は、リール３Ｌが１回転する毎に、このフォトインタラプタ７４３を通過する遮光片９２１を検出し、後述のリール位置検出回路５０にパルス信号を出力する。
【００７１】
リールランプケース７４４は、ＬＥＤ等の光源が収容される容器であり、リールモータブラケット７４１のうち、リールシャフト７４２の図４中右方に設けられている。これにより、リール３Ｌの回胴部９１１を内側から照光できる。
【００７２】
リールモータブラケット７４１は、リールクッションブロック７７及び結合部材としてのねじ７８を介して、リールボックス７６のリールブラケット７６２Ｌに取り付けられる。
【００７３】
図５は、リールモータブラケット７４１をリールブラケット７６２Ｌから取り外した状態を示す分解斜視図である。
リールクッションブロック７７は、立方体状であり、リール駆動部７４Ｌのリールモータブラケット７４１の外縁部のうち、ステッピングモータ４９Ｌを挟んで互いに対向する位置、具体的には、リールモータブラケット７４１の対角線上に設けられている。
【００７４】
リールクッションブロック７７には、リールモータブラケット７４１の厚みと略等しい幅の切込み７７１が形成されている。リールクッションブロック７７は、この切込み７７１でリールモータブラケット７４１の外縁部を挟持するようにして取り付けられる。
【００７５】
これらリールクッションブロック７７を支持枠７６４に圧入することにより、支持枠７６４及び爪７６４ａに係止されて、リールモータブラケット７４１は、リールブラケット７６２Ｌの取付部７６３に取り付けられる。
【００７６】
ねじ７８は、リール駆動部７４Ｌのリールモータブラケット７４１の外縁部のうち、ステッピングモータ４９Ｌを挟んで互いに対向する位置、具体的には、リールクッションブロック７７とは異なる対角線上に設けられている。
リールモータブラケット７４１には、ねじ７８が貫通する貫通孔７４５が形成されており、リールブラケット７６２Ｌには、ねじ７８が螺合されるねじ孔７６７が形成されている。
ねじ７８の頭部とリールモータブラケット７４１との間には、円環状のワッシャ７８１が介装され、リールモータブラケット７４１とリールブラケット７６２Ｌとの間には、弾性を有する弾性部材としてのスプリング７８２が介装される。
【００７７】
ねじ７８を、ワッシャ７８１、貫通孔７４５、及びスプリング７８２を貫通して、ねじ孔７６７に螺合することにより、リールブラケット７６２Ｌとリールモータブラケット７４１とは結合される。
また、この状態では、ねじ７８は、リールブラケット７６２Ｌとリールモータブラケット７４１との間で、スプリング７８２を貫通している。
【００７８】
以上のようにして構成されたリールユニット７３によれば、弾性を有するスプリング７８２を、筐体４に設けられたリールボックス７６のリールブラケット７６２Ｌとリール駆動部７４Ｌ，７４Ｃ，７４Ｒのリールモータブラケット７４１との間に介装した。
これにより、リール３Ｌ，３Ｃ，３Ｒの回転開始時及び停止時に生じるリール駆動部７４Ｌ，７４Ｃ，７４Ｒの振動を、リールクッションブロック７７で減衰させることができる。すなわち、リール３Ｌ，３Ｃ，３Ｒの回転開始時及び停止時における、リール駆動部７４Ｌ，７４Ｃ，７４Ｒや、このリール駆動部７４Ｌ，７４Ｃ，７４Ｒによって回転駆動されるリール３Ｌ，３Ｃ，３Ｒ等の振動を防止できる。
また、ねじ７８でスプリング７８２を貫通したので、スプリング７８２を確実に保持して、スプリング７８２が落下するのを防止できる。
【００７９】
また、リール駆動部７４Ｌ，７４Ｃ，７４Ｒのリールモータブラケット７４１を、それぞれ平板状にするとともに、スプリング７８２を、これらリールモータブラケット７４１のうちステッピングモータ４９Ｌ，４９Ｃ，４９Ｒを挟んで互いに対向する位置に設けた。
これにより、リール３Ｌ，３Ｃ，３Ｒの回転開始時及び停止時においてリールモータブラケット７４１に発生する、ステッピングモータ４９Ｌ，４９Ｃ，４９Ｒの回転軸を中心とした振動を減衰させることができる。また、上述の位置にスプリング７８２を設けることにより、少ないスプリング７８２の数で、効率的に振動を減衰させることができる。
【００８０】
図６は、遊技機１における遊技処理動作を制御する主制御回路７１１と、主制御回路７１１に電気的に接続する周辺装置（アクチュエータ）と、主制御回路７１１から送信される制御指令に基づいて液晶表示部５ａ、スピーカ９Ｌ，９Ｒ、ＬＥＤ類１０１及びランプ類１０２を制御する副制御回路７２１とを含む回路構成を示すブロック図である。
【００８１】
主制御回路７１１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、記憶手段であるＲＯＭ３２及びＲＡＭ３３を含む。
【００８２】
ＣＰＵ３１には、基準クロックパルスを発生するクロックパルス発生回路３４及び分周器３５と、サンプリングされる乱数を発生する乱数発生器３６及びサンプリング回路３７とが接続されている。なお、乱数サンプリングのための手段として、マイクロコンピュータ３０内で、すなわちＣＰＵ３１の動作プログラム上で、乱数サンプリングを実行するように構成してもよい。その場合、乱数発生器３６及びサンプリング回路３７は省略可能であり、或いは、乱数サンプリング動作のバックアップ用として残しておくことも可能である。
【００８３】
マイクロコンピュータ３０のＲＯＭ３２には、スタートレバー６を操作（スタート操作）する毎に行われる乱数サンプリングの判定に用いられる内部抽籤テーブル、停止ボタン７Ｌ，７Ｃ，７Ｒの操作に応じてリールの停止態様を決定するための停止テーブル群、副制御回路７２１へ送信するための各種制御指令（コマンド）等が格納されている。副制御回路７２１が主制御回路７１１へコマンド、情報等を入力することはなく、主制御回路７１１から副制御回路７２１への一方向で通信が行われる。ＲＡＭ３３には、種々の情報が格納される。例えば、フラグ、内部当籤役、持越役、現在の遊技状態の情報等が格納される。
【００８４】
図６の回路において、マイクロコンピュータ３０からの制御信号により動作が制御される主要なアクチュエータとしては、ＢＥＴランプ（１−ＢＥＴランプ９ａ、２−ＢＥＴランプ９ｂ、最大ＢＥＴランプ９ｃ）と、情報表示部１８と、メダルを収納し、ホッパー駆動回路４１の命令により所定枚数のメダルを払出すホッパー６７と、リール３Ｌ，３Ｃ，３Ｒを回転駆動するステッピングモータ４９Ｌ，４９Ｃ，４９Ｒと、がある。
【００８５】
また、ステッピングモータ４９Ｌ，４９Ｃ，４９Ｒを駆動制御するモータ駆動回路３９、ホッパー６７を駆動制御するホッパー駆動回路４１、ＢＥＴランプ９ａ，９ｂ，９ｃを駆動制御するランプ駆動回路４５、及び情報表示部１８を駆動制御する表示部駆動回路６１がＣＰＵ３１の出力部に接続されている。これらの駆動回路は、それぞれＣＰＵ３１から出力される駆動指令等の制御信号を受けて、各アクチュエータの動作を制御する。
【００８６】
また、マイクロコンピュータ３０が制御指令を発生するために必要な入力信号を発生する主な入力信号発生手段としては、スタートスイッチ６Ｓ、１−ＢＥＴスイッチ１１、２−ＢＥＴスイッチ１２、最大ＢＥＴスイッチ１３、Ｃ／Ｐスイッチ１４、メダルセンサ２２Ｓ、リール停止信号回路４６、リール位置検出回路５０、払出完了信号回路５１がある。
【００８７】
スタートスイッチ６Ｓは、スタートレバー６の操作を検出し、遊技開始指令信号を出力する。メダルセンサ２２Ｓは、メダル投入口２２に投入されたメダルを検出する。リール停止信号回路４６は、遊技者による各停止ボタン７Ｌ，７Ｃ，７Ｒの操作に応じて停止信号（停止指令信号）を発生する。リール位置検出回路５０は、フォトインタラプタ７４３からのパルス信号を受けて各リール３Ｌ，３Ｃ，３Ｒの位置を検出するための信号をＣＰＵ３１へ供給する。払出完了信号回路５１は、メダル検出部４０Ｓの計数値（ホッパー６７から払出されたメダルの枚数）が指定された枚数データに達した時、メダル払出完了を検知するための信号を発生する。
【００８８】
図６の回路において、乱数発生器３６は、一定の数値範囲に属する乱数を発生し、サンプリング回路３７は、スタートレバー６が操作された後の適宜のタイミングで１個の乱数をサンプリングする。こうしてサンプリングされた乱数を使用することにより、例えばＲＯＭ３２内に格納されている内部抽籤テーブル等に基づいて内部当籤役等が決定される。内部当籤役（内部当籤役データ）は、その内部当籤役に対応する停止制御の態様等を介して、対応する図柄組合せと遊技者に付与される利益とが間接的に対応づけられているといえる。
【００８９】
リール３Ｌ，３Ｃ，３Ｒの回転が開始された後、ステッピングモータ４９Ｌ，４９Ｃ，４９Ｒの各々に供給される駆動パルスの数が計数され、その計数値はＲＡＭ３３の所定エリアに書き込まれる。リール３Ｌ，３Ｃ，３Ｒからは一回転毎にリセットパルスが得られ、これらのパルスはリール位置検出回路５０を介してＣＰＵ３１に入力される。こうして得られたリセットパルスにより、ＲＡＭ３３で計数されている駆動パルスの計数値が“０”にクリアされる。これにより、ＲＡＭ３３内には、各リール３Ｌ，３Ｃ，３Ｒについて一回転の範囲内における回転位置に対応した計数値が格納される。
【００９０】
上記のようなリール３Ｌ，３Ｃ，３Ｒの回転位置とリール外周面上に描かれた図柄とを対応づけるために、図柄テーブル（図示せず）が、ＲＯＭ３２内に格納されている。この図柄テーブルでは、前述したリセットパルスが発生する回転位置を基準として、各リール３Ｌ，３Ｃ，３Ｒの一定の回転ピッチ毎に順次付与されるコードナンバーと、それぞれのコードナンバー毎に対応して設けられた図柄を示す図柄コードとが対応づけられている。
【００９１】
さらに、ＲＯＭ３２内には、図柄組合せテーブルが格納されている。この図柄組合せテーブルでは、役に対応する図柄の組合せと、図柄の組合せに対応するメダル配当枚数と、その判定コードとが対応づけられている。上記の図柄組合せテーブルは、左のリール３Ｌ、中央のリール３Ｃ、右のリール３Ｒの停止制御時、及び全リール３Ｌ，３Ｃ，３Ｒの停止後の表示役の確認を行う場合に参照される。表示役は、表示ラインに沿って並ぶ図柄組合せに対応する役（成立役）である。
【００９２】
上記乱数サンプリングに基づく抽籤処理（内部抽籤処理等）に基づいて、ＣＰＵ３１は、遊技者が停止ボタン７Ｌ，７Ｃ，７Ｒを操作したタイミングでリール停止信号回路４６から送られる停止信号、及び選択された停止テーブルに基づいて、リール３Ｌ，３Ｃ，３Ｒを停止制御する信号をモータ駆動回路３９に送り、リール３Ｌ，３Ｃ，３Ｒの変動表示を停止表示させる。
【００９３】
当籤した役を示す停止態様となれば、ＣＰＵ３１は、払出指令信号をホッパー駆動回路４１に供給してホッパー６７から所定個数のメダルの払出を行う。その際、メダル検出部４０Ｓは、ホッパー６７から払出されるメダルの枚数を計数し、その計数値が指定された数に達した時に、メダル払出完了信号がＣＰＵ３１に入力される。これにより、ＣＰＵ３１は、ホッパー駆動回路４１を介してホッパー６７の駆動を停止し、メダル払出処理を終了する。
【００９４】
以上、実施例について説明したが、本発明はこれに限られるものではない。
【００９５】
例えば、本実施例では、ねじ７８及びスプリング７８２を、リールモータブラケット７４１の外縁部のうち、ステッピングモータ４９Ｌを挟んで互いに対向する位置に設けたがこれに限らない。
例えば、ねじ７８及びスプリング７８２は、３つ以上設けてもよい。また、例えば、略矩形状のリールモータブラケットの外縁部のうち四隅に、それぞれ、ねじ及びスプリングを設けてもよい。
例えば、本実施例では、弾性部材としてスプリング７８２を設けたが、これに限らず、クッションを設けてもよい。
【図面の簡単な説明】
【００９６】
【図１】本発明の一実施例の遊技機の外観を示す斜視図である。
【図２】前面ドアの裏面の構成を示す斜視図である。
【図３】前面ドアの裏面の構成を示す部分斜視図である。
【図４】リールブラケット、リール駆動部、及びリールの構成を示す斜視図である。
【図５】リールモータブラケットをリールブラケットから取り外した状態を示す分解斜視図である。
【図６】回路構成を示すブロック図である。
【符号の説明】
【００９７】
１    遊技機
２    前面ドア
２ｂ    前面ドア本体
３Ｌ，３Ｃ，３Ｒ    リール（リール）
４    筐体
７Ｌ，７Ｃ，７Ｒ    停止ボタン（操作手段）
４０    ミドルドア
４９Ｌ，４９Ｃ，４９Ｒ    ステッピングモータ（リールモータ）
７３    リールユニット（変動表示手段）
７４Ｌ，７４Ｃ，７４Ｒ    リール駆動部（リール駆動部）
７４１    リールモータブラケット（基部）
７４２    リールシャフト（リール保持部）
７６    リールボックス（リール収容部）
７８    ねじ（結合部材）
７６１    本体
７６２Ｌ，７６２Ｃ，７６２Ｒ    リールブラケット
７８２    スプリング（弾性部材）
【図１】
2008048882.tif 000003
【図２】
2008048882.tif 000004
【図３】
2008048882.tif 000005
【図４】
2008048882.tif 000006
【図５】
2008048882.tif 000007
【図６】
2008048882.tif 000008